(57)【要約】【課題】一時的に待機時の監視機能などを完全に止めてしまっても、運用の必要がある時間帯の始まりとともに監視機能などを自動復旧し、待機時電力の削減と運用コストの削減とに資する。【解決手段】監視機能コントローラと、電源ユニットと、を備え、監視機能コントローラは、待機状態になった場合に、待機時電力の供給を復旧させる時間を示す待機時電力供給復旧時間の指定を行う指定部を備え、電源ユニットは、待機時電力供給復旧時間の指定からの経過時間が待機時電力供給復旧時間に到達するまで待機時電力の供給を減らし、待機時電力供給復旧時間に到達した場合は待機時電力の供給を復旧する制御部、を備える情報処理装置。【選択図】      図１
2013196173.tif 000002
【特許請求の範囲】
【請求項１】
監視機能コントローラと、電源ユニットと、を備え、
前記監視機能コントローラは、
待機状態になった場合に、待機時電力の供給を復旧させる時間を示す待機時電力供給復旧時間の指定を行う指定部を備え、
前記電源ユニットは
前記待機時電力供給復旧時間の指定からの経過時間が前記待機時電力供給復旧時間に到達するまで前記待機時電力の供給を減らし、前記待機時電力供給復旧時間に到達した場合は前記待機時電力の供給を復旧する制御部、を備える情報処理装置。
【請求項２】
前記指定部は、
前記待機時電力の供給を減らすか否かを判定する判定部と、
前記待機時電力の供給を減らすと判定した場合、待機時電力供給復旧時間の指定を行う時間指定部とを備え、
前記制御部は、
前記待機時電力供給復旧時間の指定に対して、時間をカウントするカウント手段と、
前記カウント手段でカウントされた時間が前記待機時電力供給復旧時間に到達していない場合は前記待機時電力の供給を減らし、前記待機時電力供給復旧時間に到達した場合は前記待機時電力の供給を復旧する手段と、を備える請求項１に記載の情報処理装置。
【請求項３】
前記指定部は、
前記待機時電力の供給を減らすか否かを判定する判定部と、
前記待機時電力の供給を減らすと判定した場合、待機時電力供給復旧時間の指定を行う時間指定部とを備え、
前記制御部は、
前記待機時電力供給復旧時間の指定に対して、時間をカウントするカウント手段と、
前記待機時電力供給復旧時間の指定に対して、前記待機時電力の供給を減らし、前記カウント手段でカウントされた時間が前記待機時電力供給復旧時間に到達した場合は前記待機時電力供給を復旧する手段と、を備える請求項１に記載の情報処理装置。
【請求項４】
前記電源ユニットは、処理部と、カウンタと、オン／オフ制御信号回路と、ＦＥＴ回路と、待機時電源と、を備え、
前記処理部が、前記待機時電力供給復旧時間指定を受けて、待機時電力供給復旧時間設定を行い、
前記カウンタが、前記待機時電力供給復旧時間設定を受けて、待機時電力供給復旧時間カウントを行い、待機時電力供給復旧時間カウント結果を発信し、
前記オン／オフ制御信号回路が、前記待機時電力供給復旧時間カウント結果を受けて、待機時電力供給オン／オフ信号を発信し、
前記ＦＥＴ回路が、前記待機時電力供給オン／オフ信号を受けて、前記監視機能コントローラおよびその他の待機回路への待機時電力供給を減らすあるいは復旧する機能を備える、請求項１あるいは請求項２記載の情報処理装置。
【請求項５】
前記電源ユニットは、処理部と、カウンタと、オン／オフ制御信号回路と、ＦＥＴ回路と、待機時電源と、を備え、
前記処理部が、前記待機時電力供給復旧時間指定を受けて、待機時電力供給オフ指令と待機時電力供給復旧時間設定を行い、
まず、前記オン／オフ制御信号回路が、前記待機時電力供給オフ指令を受けて、待機時電力供給オフ信号を発生し、前記ＦＥＴ回路が、前記待機時電力供給オフ信号を受けて、前記監視機能コントローラおよびその他の待機回路への待機時電力供給を減らし、
次に、前記カウンタが、前記待機時電力供給復旧時間設定を受けて、待機時電力供給復旧時間カウントを行い、待機時電力供給復旧時間カウント結果を発信し、前記処理部が、前記待機時電力供給復旧時間カウント結果を受けて、前記待機時電力供給復旧時間カウントが前記待機時電力供給復旧時間に達したことが確認されたときに、待機時電力供給オン信号を発信し、前記オン／オフ制御信号回路が、前記待機時電力供給オン指令を受けて、待機時電力供給オン信号を発生し、前記ＦＥＴ回路が、前記待機時電力供給オン信号を受けて、前記監視機能コントローラおよびその他の待機回路への待機時電力供給を復旧する機能を備える、請求項１あるいは請求項３記載の情報処理装置。
【請求項６】
待機時電力供給を減らすか否かを判定し、
前記待機時電力供給を減らすと判定した場合、待機時電力供給復旧時間の指定を行い、
前記待機時電力供給復旧時間の指定からの経過時間が前記待機時電力供給復旧時間に到達するまで前記待機時電力の供給を減らし、到達した場合は前記待機時電力の供給を復旧する、待機時電力削減方法。
【請求項７】
前記待機時電力供給復旧時間の指定からの経過時間が前記待機時電力供給復旧時間に到達するまで前記待機時電力の供給を減らし、到達した場合は前記待機時電力の供給を復旧する場合、
前記待機時電力供給復旧時間の指定に対して、時間カウントを行い、
前記時間カウントが前記待機時電力供給復旧時間に到達したか否かを判定し、
到達していない場合は前記待機時電力供給を減らし、
到達した場合は前記待機時電力供給を復旧する、請求項６記載の待機時電力削減方法。
【請求項８】
前記待機時電力供給復旧時間の指定からの経過時間が前記待機時電力供給復旧時間に到達するまで前記待機時電力の供給を減らし、到達した場合は前記待機時電力の供給を復旧する場合、
まず、前記待機時電力供給復旧時間の指定に対して、前記待機時電力供給を減らし、
次に、前記待機時電力供給復旧時間の指定に対して、時間カウントを行い、
前記時間カウントが前記待機時電力供給復旧時間に到達したか否かを判定し、
到前記待機時電力供給復旧時間に達した場合は前記待機時電力供給を復旧する、請求項６記載の待機時電力削減方法。
【請求項９】
情報処理装置に、
待機時電力供給を減らすか否かを判定する処理と、
前記待機時電力供給を減らすと判定した場合、待機時電力供給復旧時間の指定を行う処理と、
前記待機時電力供給復旧時間の指定からの経過時間が前記待機時電力供給復旧時間に到達するまで前記待機時電力の供給を減らし、到達した場合は前記待機時電力の供給を復旧する処理と、
を実行させるプログラム。
【発明の詳細な説明】
【技術分野】
【０００１】
本発明は、待機時の電力削減機能を備えた情報処理装置に関する。
【背景技術】
【０００２】
近年、データセンタなどのサーバを数多く扱う業者においては、空調を含めた電力の運用コストの削減が大きな課題となっている。サーバなどの情報処理装置の運用時の電力削減に関しては、様々な取り組みが実施されつつある一方で、待機時の電力削減に関しての取り組みについては、まだあまり実施されていないのが実情である。情報処理装置は運用時のみならず、待機時においても多様な監視機能が動作しているために、多くの待機時電力を消費している。
【０００３】
待機時電力を低減する例として、特許文献１には、計算機システムのうち必要な情報処理装置を特定し、必要な情報処理装置にのみ電力を供給することで、計算機システムの消費電力を低減するシステムが開示されている。
【先行技術文献】
【特許文献】
【０００４】
【特許文献１】特開２００８−２８７６４４号公報
【発明の概要】
【発明が解決しようとする課題】
【０００５】
現在のサーバなどの情報処理装置においては、ＤＣ電源がオフ状態の待機時には、常に監視機能等が動作しているため、待機時には電力を多く消費している。一方で、監視機能や電源制御機能を完全に止めてしまうと、サーバの運用を手動で行うこととなり、運用コストが増加してしまう等の問題が発生する。
【０００６】
しかしながら、例えば、夜間や休日など、明らかに運用の必要のない時間帯がある運用場面においては、一時的に待機時の監視機能や電源制御機能を完全に止めてしまったとしても、運用の必要がある時間帯の始まりとともに監視機能や電源制御機能を復旧することができれば、明らかに運用の必要のない時間帯での待機時電力の削減が可能となる。
【０００７】
本発明の目的は、上述の課題である、運用の必要のない時間帯での待機時電力の削減が可能となる情報処理装置、待機時電力削減方法、およびそのプログラムを提供することにある。
【課題を解決するための手段】
【０００８】
本発明による情報処理装置は、監視機能コントローラと電源ユニットとを備え、監視機能コントローラは、待機状態になった場合に、待機時電力の供給を復旧させる時間を示す待機時電力供給復旧時間の指定を行う指定部を備え、電源ユニットは、待機時電力供給復旧時間の指定からの経過時間が待機時電力供給復旧時間に到達するまで待機時電力の供給を減らし、待機時電力供給復旧時間に到達した場合は待機時電力の供給を復旧する制御部、を備える。
【０００９】
本発明による待機時電力削減方法は、待機時電力供給を減らすか否かを判定し、待機時電力供給を減らすと判定した場合、待機時電力供給復旧時間の指定を行い、待機時電力供給復旧時間の指定からの経過時間が待機時電力供給復旧時間に到達するまで待機時電力の供給を減らし、到達した場合は待機時電力の供給を復旧する。
【００１０】
本発明によるプログラムは、情報処理装置に、待機時電力供給を減らすか否かを判定する処理と、待機時電力供給を減らすと判定した場合、待機時電力供給復旧時間の指定を行う処理と、待機時電力供給復旧時間の指定からの経過時間が待機時電力供給復旧時間に到達するまで待機時電力の供給を減らし、到達した場合は待機時電力の供給を復旧する処理と、を実行させる。
【発明の効果】
【００１１】
本発明による情報処理装置は、夜間や休日など、明らかに運用の必要のない時間帯がある運用場面において、一時的に待機時の監視機能などを完全に止めてしまっても、運用の必要がある時間帯の始まりとともに監視機能などを復旧することが可能となり、待機時電力の削減と運用の自動化とによるコストの削減に寄与することができる。
【図面の簡単な説明】
【００１２】
【図１】本発明の第一の実施の形態の情報処理装置の構成を示す図である。
【図２】本発明の第一の実施の形態の情報処理装置の待機時電力削減方法を示すフローチャートである。
【図３】本発明の第二の実施の形態の情報処理装置の構成を示す図である。
【図４】本発明の第二の実施の形態の情報処理装置の待機時電力削減方法を示すフローチャートである。
【発明を実施するための形態】
【００１３】
以下、図面を参照しながら、本発明の実施形態を詳細に説明する。但し、以下に述べる実施形態には、本発明を実施するために技術的に好ましい限定がされているが、発明の範囲を以下に限定するものではない。
（第一の実施の形態）
図１は、本発明の第一の実施の形態の情報処理装置（サーバ）の構成を示す図である。サーバ１は、監視機能コントローラ１０と、電源ユニット２０とを備える。監視機能コントローラ１０は、判定部１２０と時間設定部１３０を有する指定部１２０を備える。電源ユニット２０は、処理部（中央演算処理装置）やマイクロプロセッサなどの処理部３０と、カウンタ４０と、オン／オフ制御信号回路５０と、ＦＥＴ回路６０とを有する制御部２１０と、待機時電源７０とを備える。図１では、サーバの当然の構成要素である他のコンピュータ回路、メモリ、ハードディスクなどは、本発明の実施の形態としては、特に特徴のあるものではないために省略している。
【００１４】
監視機能コントローラ１０は、待機時電力供給復旧時間指定信号１１の発信を行う。すなわち、まず、指定部１１０の判定部１２０で待機時電力の供給をオフするか否かの判定を行い、待機時電力の供給をオフすると判定した場合、時間指定部１３０で待機時電力供給復旧時間の指定を行う。
【００１５】
電源ユニット２０の制御部２１０では、処理部３０が、待機時電力供給復旧時間指定信号１１を受けて、待機時電力供給復旧時間設定信号３１の発信を行う。カウンタ４０は、待機時電力供給復旧時間設定信号３１を受けて、待機時電力供給復旧時間カウントを行い、随時、待機時電力供給復旧時間カウント結果４１の発信を行う。待機時電力供給復旧時間カウント結果４１とは、カウントした時間が待機時電力供給復旧時間に達したときにＹＥＳを、達していないときにはＮＯをいう。
【００１６】
オン／オフ制御信号回路５０は、待機時電力供給復旧時間カウント結果４１を受けて、待機時電力供給オン／オフ信号５１の発信を行う。すなわち、待機時電力供給復旧時間カウント結果４１がＹＥＳのときには待機時電力供給オン、待機時電力供給復旧時間カウント結果４１がＮＯのときには待機時電力供給オフである。ＦＥＴ回路６０は、待機時電力供給オン／オフ信号５１を受けて、待機時電源７０からの待機時電力７１の、監視機能コントローラ１０およびその他の待機回路８０への待機時電力６１の供給のオン／オフを行う。
【００１７】
図２は、図１の本発明の第一の実施の形態のサーバの待機時電力削減方法を示すフローチャートである。まず、ステップＳ１０１では、サーバ１のＤＣ電源がオフとなったか否かを判定する。ここでは、監視機能コントローラ１０が、ＤＣ電源がオフとなったか否かを判定する。ＤＣ電源がオフとなることで、サーバ１は待機状態となる。
【００１８】
ＹＥＳを確認すると、ステップＳ１０２では、待機時電力供給をオンとする。ここでは、監視機能コントローラ１０が待機時電源７０をオンし、待機時電力７１および６１を、監視機能コントローラ１０と処理部３０とカウンタ４０とオン／オフ制御信号回路５０とＦＥＴ回路６０とその他の待機回路８０に供給する。サーバ１のＤＣ電源がオフとなった後、監視機能コントローラ１０が待機時電源７０をオンするまでの監視機能コントローラ１０の動作は、監視機能コントローラ１０内に、この動作に必要な電力を蓄えるコンデンサを内蔵することで行うことができる。
【００１９】
ステップＳ１０３では、待機時電力７１および６１が供給されている状態で、監視機能コントローラ１０はサーバ１の状態の監視およびコントロールを行う。
【００２０】
ステップＳ１０４では、待機時電力供給をオフするか否かを判定する。ここでは、監視機能コントローラ１０の判定部１２０が、予め指定された時刻に達したか、あるいは、人による入力を受けたか、などによって待機時電力供給をオフするか否かを判定する。予め指定された時刻とは、例えば、夜間や休日など、明らかに運用の必要のない時間帯に設定される。待機時電力供給をオフすると判定した場合、ＹＥＳとする。
【００２１】
ＹＥＳを確認すると、ステップＳ１０５では、待機時電力供給復旧時間の設定を行う。ここでは、まず、監視機能コントローラ１０の時間指定部１３０が、電源ユニット２０の処理部３０に対して、待機時電力供給復旧時間を指定する信号１１を発信する。待機時電力供給復旧時間は、例えば、夜間や休日など、明らかに運用の必要のない時間帯が終了するまでの時間である。処理部３０は、待機時電力供給復旧時間を指定する信号１１を受けて、待機時電力供給復旧時間の設定３１をカウンタ４０に対して行う。
【００２２】
ステップＳ１０６では、カウンタ４０は待機時電力供給復旧時間に対して、時間のカウントを行う。
【００２３】
ステップＳ１０７では、カウンタ４０での時間のカウントが待機時電力供給復旧時間に到達したか否かを判定する。この判定はカウンタ４０が行う。カウンタ４０は、カウントした時間が待機時電力供給復旧時間に到達した場合はＹＥＳを、到達していない場合はＮＯを、待機時電力供給復旧時間カウント結果４１として、オン／オフ制御信号回路５０に発信する。
【００２４】
オン／オフ制御信号回路５０では、ＮＯを受けた場合は、監視機能コントローラ１０とその他の待機回路８０への待機時電力供給をオフとする信号５０をＦＥＴ回路６０に発信し、ＦＥＴ回路６０では待機時電力供給をオフとする信号５１を受けて、待機時電力６１をオフとする（ステップＳ１０８）。一方、ＹＥＳを受けた場合は、監視機能コントローラ１０とその他の待機回路８０への待機時電力供給をオンとする信号５１をＦＥＴ回路６０に発信し、ＦＥＴ回路６０では待機時電力供給をオンとする信号５１を受けて、待機時電力６１をオンとする（ステップＳ１０９）。
【００２５】
以上のサーバの待機時電力削減方法は、サーバ内の図示しない記録媒体に記憶されたプログラムに基づいて、たとえば監視機能コントローラ１０と制御部２１０で実行されても良い。この場合、監視機能コントローラ１０は、待機時電力供給をオフするか否かを判定する処理と、待機時電力供給をオフすると判定した場合、待機時電力供給復旧時間の指定を行う処理とを、上記の記録媒体に記憶されたプログラムに基づいて実行する。また、制御部２１０は、待機時電力供給復旧時間の指定からの経過時間が前記待機時電力供給復旧時間に到達するまで前記待機時電力の供給をオフし、到達した場合は前記待機時電力の供給をオンにする処理と、を上記の記録媒体に記憶されたプログラムに基づいて実行する。
【００２６】
以上説明したように、本実施の形態により、サーバは、夜間や休日など、明らかに運用の必要のない時間帯がある運用場面において、一時的に待機時の監視機能などを完全に止めてしまっても、運用の必要がある時間帯の始まりとともに監視機能などを復旧することが可能となる。したがって、待機時電力の削減と運用の自動化とによるコストの削減に寄与することができる。
【００２７】
なお、本実施の形態では、制御部における待機時電力を減らす／待機時電力を復旧する、の形態として、待機時電力をオフ／オンする場合を述べたが、単なるオフ／オンではなく、待機時電力を一定量減らす／待機時電力を復旧する、としても良い。例えば、制御部が待機時電力を半分に、あるいは十分の一などに減らすことで、待機時電力を削減することができる。待機時電力をゼロまで減らした場合が、待機時電力をオフしたことに相当する。
【００２８】
また、減らした待機時電力を復旧することで、電力を減らす前の待機時の動作を復旧できる。この場合、減らす前と同じ電力に戻さなくても、待機時の動作を実施するに十分な電力とすれば良い。待機時電力を減らす前と同じ電力に復旧した場合が、待機時電力をオンしたことに相当する。
（第二の実施の形態）
図３は、本発明の第一の実施の形態の情報処理装置（サーバ）の構成を示す図である。サーバ２は、監視機能コントローラ１０と、電源ユニット２０とを備える。監視機能コントローラ１０は、判定部１２０と時間設定部１３０を有する指定部１２０を備える。電源ユニット２０は、処理部３０とカウンタ４０とオン／オフ制御信号回路５０とＦＥＴ回路６０とを有する制御部２２０と、待機時電源７０とを備える。図３では、サーバの当然の構成要素である他のコンピュータ回路、メモリ、ハードディスクなどは、本発明の実施の形態としては、特に特徴のあるものではないために省略している。
【００２９】
監視機能コントローラ１０は、待機時電力供給復旧時間指定信号１１の発信を行う。すなわち、まず、判定部１２０で待機時電力の供給をオフするか否かの判定を行い、待機時電力の供給をオフすると判定した場合、時間指定部１３０で待機時電力供給復旧時間の指定を行う。
【００３０】
電源ユニット２０の制御部２１０では、処理部３０が待機時電力供給復旧時間指定信号１１を受けて、待機時電力供給オフ指令信号３２と待機時電力供給復旧時間設定信号３１とを発信する。
【００３１】
次にまず、オン／オフ制御信号回路５０は、待機時電力供給オフ指令信号３２を受けて、待機時電力供給オフ信号５１を発信する。ＦＥＴ回路６０は、待機時電力供給オフ信号５１を受けて、監視機能コントローラ１０およびその他の待機回路８０への待機時電力６１の供給をオフする。
【００３２】
次に、カウンタ４０は、待機時電力供給復旧時間設定信号３１を受けて、待機時電力供給復旧時間カウントを行い、随時、待機時電力供給復旧時間カウント結果４１の発信を行う。待機時電力供給復旧時間カウント結果４１とは、カウントした時間が待機時電力供給復旧時間に達したときにＹＥＳを、達していないときにはＮＯをいう。
【００３３】
処理部３０は、待機時電力供給復旧時間カウント結果４１を受けて、待機時電力供給復旧時間カウント結果４１がＹＥＳであることを確認した後に、待機時電力供給オン信号３２を発信する。オン／オフ制御信号回路５０は、待機時電力供給オン指令３２を受けて、待機時電力供給オン信号５１を発生する。ＦＥＴ回路６０は、待機時電力供給オン信号５１を受けて、監視機能コントローラ１０およびその他の待機回路８０への待機時電力６１の供給をオンする。
【００３４】
図４は、図３の本発明の第二の実施の形態のサーバの待機時電力削減方法を示すフローチャートである。まず、ステップＳ２０１では、サーバ２のＤＣ電源がオフとなったか否かを判定する。ここでは、監視機能コントローラ１０が、ＤＣ電源がオフとなったか否かを判定する。ＤＣ電源がオフとなることで、サーバ２は待機状態となる。
【００３５】
ＹＥＳを確認すると、ステップＳ２０２では、待機時電力供給をオンとする。ここでは、監視機能コントローラ１０が待機時電源７０をオンし、待機時電力７１および６１を、監視機能コントローラ１０と処理部３０とカウンタ４０とオン／オフ制御信号回路５０とＦＥＴ回路６０とその他の待機回路８０に供給する。サーバ２のＤＣ電源がオフとなった後、監視機能コントローラ１０が待機時電源７０をオンするまでの監視機能コントローラ１０の動作は、監視機能コントローラ１０内に、この動作に必要な電力を蓄えるコンデンサを内蔵することで行うことができる。
【００３６】
ステップＳ２０３では、待機時電力７１および６１が供給されている状態で、監視機能コントローラ１０はサーバ２の状態の監視およびコントロールを行う。
【００３７】
ステップＳ２０４では、待機時電力供給をオフするか否かを判定する。ここでは、監視機能コントローラ１０の判定部１２０が、予め指定された時刻に達したか、あるいは、人による入力を受けたか、などによって判定する。予め指定された時刻とは、例えば、夜間や休日など、明らかに運用の必要のない時間帯に設定される。
【００３８】
ＹＥＳを確認すると、まず、ステップＳ２０５では、監視機能コントローラ１０およびその他の待機回路８０への待機時電力６１の供給をオフする。ここでは、監視機能コントローラ１０の時間指定部１３０が、電源ユニット２０の処理部３０に対して、待機時電力供給復旧時間を指定する信号１１を発信する。待機時電力供給復旧時間は、例えば、夜間や休日など、明らかに運用の必要のない時間帯が終了するまでの時間である。処理部３０は、待機時電力供給復旧時間を指定する信号１１を受けて、待機時電力供給オフ指令信号３２を発信する。オン／オフ制御信号回路５０は、待機時電力供給オフ指令信号３２を受けて、待機時電力供給オフ信号５１を発信する。ＦＥＴ回路６０は、待機時電力供給オフ信号５１を受けて、監視機能コントローラ１０およびその他の待機回路８０への待機時電力６１の供給をオフする。
【００３９】
一方、ステップＳ２０６では、待機時電力供給復旧時間の設定を行う。ここでは、処理部３０が、ステップＳ２０５で受けた待機時電力供給復旧時間を指定する信号１１に対して、待機時電力供給復旧時間設定信号３１を発信する。カウンタ４０は、待機時電力供給復旧時間設定信号３１を受けて、待機時電力供給復旧時間に対しての時間のカウントを行い（ステップＳ２０７）、随時、待機時電力供給復旧時間に到達したか否かを判定する（ステップＳ２０８）。ＮＯの場合は、カウント時間が待機時電力供給復旧時間に到達するまでステップＳ２０７とステップＳ２０８を繰り返す。
【００４０】
ＹＥＳが確認されると、ステップＳ２０９では、監視機能コントローラ１０およびその他の待機回路８０への待機時電力６１の供給をオンとする。ここでは、処理部３０は、待機時電力供給復旧時間カウント結果４１としてＹＥＳを受け、待機時電力供給オン指令信号３２を発信する。オン／オフ制御信号回路５０は、待機時電力供給オン指令信号３２を受けて、待機時電力供給オン信号５１をＦＥＴ回路６０に発信する。ＦＥＴ回路は、待機時電力供給をオンとする信号５１を受けて、待機時電力６１をオンとする。
【００４１】
以上のサーバの待機時電力削減方法は、サーバ内の図示しない記録媒体に記憶されたプログラムに基づいて、たとえば監視機能コントローラ１０と制御部２２０で実行されても良い。この場合、監視機能コントローラ１０は、待機時電力供給をオフするか否かを判定する処理と、待機時電力供給をオフすると判定した場合、待機時電力供給復旧時間の指定を行う処理とを、上記の記録媒体に記憶されたプログラムに基づいて実行する。また、制御部２２０は、待機時電力供給復旧時間の指定からの経過時間が前記待機時電力供給復旧時間に到達するまで前記待機時電力の供給をオフし、到達した場合は前記待機時電力の供給をオンにする処理と、を上記の記録媒体に記憶されたプログラムに基づいて実行する。
【００４２】
以上説明したように、本実施の形態によれば、サーバは、夜間や休日など、明らかに運用の必要のない時間帯がある運用場面において、一時的に待機時の監視機能などを完全に止めてしまっても、運用の必要がある時間帯の始まりとともに監視機能などを復旧することが可能となる。したがって、待機時電力の削減と運用の自動化とによるコストの削減に寄与することができる。
【００４３】
なお、本実施形態では、制御部における待機時電力を減らす／待機時電力を復旧する、の形態として、待機時電力をオフ／オンする場合を述べたが、単なるオフ／オンではなく、待機時電力を一定量減らす／待機時電力を復旧する、としても良い。例えば、待機時電力を半分に、あるいは十分の一などに減らすことで、待機時電力を削減することができる。待機時電力をゼロまで減らした場合が、待機時電力をオフしたことに相当する。
【００４４】
また、減らした待機時電力を復旧することで、電力を減らす前の待機時の動作を復旧できる。この場合、減らす前と同じ電力に戻さなくても、待機時の動作を実施するに十分な電力とすれば良い。待機時電力を減らす前と同じ電力に復旧した場合が、待機時電力をオンしたことに相当する。
【００４５】
また、上記の実施形態の一部又は全部は、以下の付記のようにも記載されうるが、以下には限られない。
（付記１）
監視機能コントローラと、電源ユニットと、を備え、
前記監視機能コントローラは、
待機状態になった場合に、待機時電力の供給を復旧させる時間を示す待機時電力供給復旧時間の指定を行う指定部を備え、
前記電源ユニットは
前記待機時電力供給復旧時間の指定からの経過時間が前記待機時電力供給復旧時間に到達するまで前記待機時電力の供給を減らし、前記待機時電力供給復旧時間に到達した場合は前記待機時電力の供給を復旧する制御部、を備える情報処理装置。
（付記２）
前記指定部は、
前記待機時電力の供給を減らすか否かを判定する判定部と、
前記待機時電力の供給を減らすと判定した場合、待機時電力供給復旧時間の指定を行う時間指定部とを備え、
前記制御部は、
前記待機時電力供給復旧時間の指定に対して、時間をカウントするカウント手段と、
前記カウント手段でカウントされた時間が前記待機時電力供給復旧時間に到達していない場合は前記待機時電力の供給を減らし、前記待機時電力供給復旧時間に到達した場合は前記待機時電力の供給を復旧する手段と、を備える付記１に記載の情報処理装置。
（付記３）
前記指定部は、
前記待機時電力の供給を減らすか否かを判定する判定部と、
前記待機時電力の供給を減らすと判定した場合、待機時電力供給復旧時間の指定を行う時間指定部とを備え、
前記制御部は、
前記待機時電力供給復旧時間の指定に対して、時間をカウントするカウント手段と、
前記待機時電力供給復旧時間の指定に対して、前記待機時電力の供給を減らし、前記カウント手段でカウントされた時間が前記待機時電力供給復旧時間に到達した場合は前記待機時電力供給を復旧する手段と、を備える付記１に記載の情報処理装置。
（付記４）
前記電源ユニットは、処理部と、カウンタと、オン／オフ制御信号回路と、ＦＥＴ回路と、待機時電源と、を備え、
前記処理部が、前記待機時電力供給復旧時間指定を受けて、待機時電力供給復旧時間設定を行い、
前記カウンタが、前記待機時電力供給復旧時間設定を受けて、待機時電力供給復旧時間カウントを行い、待機時電力供給復旧時間カウント結果を発信し、
前記オン／オフ制御信号回路が、前記待機時電力供給復旧時間カウント結果を受けて、待機時電力供給オン／オフ信号を発信し、
前記ＦＥＴ回路が、前記待機時電力供給オン／オフ信号を受けて、前記監視機能コントローラおよびその他の待機回路への待機時電力供給を減らすあるいは復旧する機能を備える、付記１あるいは付記２記載の情報処理装置。
（付記５）
前記電源ユニットは、処理部と、カウンタと、オン／オフ制御信号回路と、ＦＥＴ回路と、待機時電源と、を備え、
前記処理部が、前記待機時電力供給復旧時間指定を受けて、待機時電力供給オフ指令と待機時電力供給復旧時間設定を行い、
まず、前記オン／オフ制御信号回路が、前記待機時電力供給オフ指令を受けて、待機時電力供給オフ信号を発生し、前記ＦＥＴ回路が、前記待機時電力供給オフ信号を受けて、前記監視機能コントローラおよびその他の待機回路への待機時電力供給を減らし、
次に、前記カウンタが、前記待機時電力供給復旧時間設定を受けて、待機時電力供給復旧時間カウントを行い、待機時電力供給復旧時間カウント結果を発信し、前記処理部が、前記待機時電力供給復旧時間カウント結果を受けて、前記待機時電力供給復旧時間カウントが前記待機時電力供給復旧時間に達したことが確認されたときに、待機時電力供給オン信号を発信し、前記オン／オフ制御信号回路が、前記待機時電力供給オン指令を受けて、待機時電力供給オン信号を発生し、前記ＦＥＴ回路が、前記待機時電力供給オン信号を受けて、前記監視機能コントローラおよびその他の待機回路への待機時電力供給を復旧する機能を備える、付記１あるいは付記３記載の情報処理装置。
（付記６）
待機時電力供給を減らすか否かを判定し、
前記待機時電力供給を減らすと判定した場合、待機時電力供給復旧時間の指定を行い、
前記待機時電力供給復旧時間の指定からの経過時間が前記待機時電力供給復旧時間に到達するまで前記待機時電力の供給を減らし、到達した場合は前記待機時電力の供給を復旧する、待機時電力削減方法。
（付記７）
前記待機時電力供給復旧時間の指定からの経過時間が前記待機時電力供給復旧時間に到達するまで前記待機時電力の供給を減らし、到達した場合は前記待機時電力の供給を復旧する場合、
前記待機時電力供給復旧時間の指定に対して、時間カウントを行い、
前記時間カウントが前記待機時電力供給復旧時間に到達したか否かを判定し、
到達していない場合は前記待機時電力供給を減らし、
到達した場合は前記待機時電力供給を復旧する、付記６記載の待機時電力削減方法。
（付記８）
前記待機時電力供給復旧時間の指定からの経過時間が前記待機時電力供給復旧時間に到達するまで前記待機時電力の供給を減らし、到達した場合は前記待機時電力の供給を復旧する場合、
まず、前記待機時電力供給復旧時間の指定に対して、前記待機時電力供給を減らし、
次に、前記待機時電力供給復旧時間の指定に対して、時間カウントを行い、
前記時間カウントが前記待機時電力供給復旧時間に到達したか否かを判定し、
到前記待機時電力供給復旧時間に達した場合は前記待機時電力供給を復旧する、付記６記載の待機時電力削減方法。
（付記９）
情報処理装置に、
待機時電力供給を減らすか否かを判定する処理と、
前記待機時電力供給を減らすと判定した場合、待機時電力供給復旧時間の指定を行う処理と、
前記待機時電力供給復旧時間の指定からの経過時間が前記待機時電力供給復旧時間に到達するまで前記待機時電力の供給を減らし、到達した場合は前記待機時電力の供給を復旧する処理と、
を実行させるプログラム。
（付記１０）
前記待機時電力供給復旧時間の指定からの経過時間が前記待機時電力供給復旧時間に到達するまで前記待機時電力の供給を減らし、到達した場合は前記待機時電力の供給を復旧する処理が、
前記待機時電力供給復旧時間に対して、時間カウントを行う処理と、
前記時間カウントが前記待機時電力供給復旧時間に到達したか否かを判定する処理と、
前記待機時電力供給復旧時間に到達していない場合は前記待機時電力供給を減らす処理と、
前記待機時電力供給復旧時間に到達した場合は前記待機時電力供給を復旧する処理と、
を実行させる付記９記載のプログラム。
（付記１１）
前記待機時電力供給復旧時間の指定からの経過時間が前記待機時電力供給復旧時間に到達するまで前記待機時電力の供給を減らし、到達した場合は前記待機時電力の供給を復旧する処理が、
まず、前記待機時電力供給復旧時間の指定に対して、前記待機時電力供給を減らす処理と、
次に、前記待機時電力供給復旧時間の指定に対して、時間カウントを行う処理と、
前記時間カウントが前記待機時電力供給復旧時間に到達したか否かを判定する処理と、
前記待機時電力供給復旧時間に到達した場合は前記待機時電力供給を復旧する処理と、
を実行させる付記９記載のプログラム。
【符号の説明】
【００４６】
１、２    情報処理装置（サーバ）
１０    監視機能コントローラ
１１    待機時電力供給復旧時間指定信号
２０    電源ユニット
３０    処理部
３１    待機時電力供給復旧時間設定信号
３２    待機時電力供給オン／オフ指令信号
４０    カウンタ
４１    待機時電力供給復旧時間カウント結果
５０    オン/オフ制御信号回路
５１    待機時電力供給オン/オフ信号
６０    ＦＥＴ回路
６１    待機時電力
７０    待機時電源
７１    待機時電力
８０    その他の待機回路
１１０    指定部
１２０    判定部
１３０    時間指定部
２１０、２２０    制御部
【図１】
2013196173.tif 000003
【図２】
2013196173.tif 000004
【図３】
2013196173.tif 000005
【図４】
2013196173.tif 000006